(57)【特許請求の範囲】
【請求項１】
被写体を撮像し、画角を変更できる撮像手段と、
音声を集音し、指向範囲を変更できる音声入力手段と、
前記撮像手段の画角及び前記音声入力手段の前記指向範囲を制御する制御手段
とを具備する撮像装置であって、
前記制御手段は、記録開始の操作に応じて、前記音声入力手段の前記指向範囲を、前記画角に応じた指向範囲より広い指向範囲に制御し、その後、前記画角に応じた指向範囲に制御することを特徴とする撮像装置。
【請求項２】
前記制御手段は、前記音声入力手段の前記指向範囲を前記画角に応じた指向範囲より広い指向範囲から前記画角に応じた指向範囲に変更する際に、前記画角に応じた指向範囲に向けて少しずつ変化させることを特徴とする請求項１に記載の撮像装置。
【請求項３】
前記制御手段は、前記撮像手段の撮影モードの切替え操作に応じて、前記音声入力手段の前記指向範囲を、前記撮影モードに応じた指向範囲より広い指向範囲に制御し、その後、前記撮影モードに応じた指向範囲に制御することを特徴とする請求項１又は２に記載の撮像装置。
【請求項４】
被写体の光学像を指定されたズーム率で撮影し画像データを取得する撮像手段と、
周囲の音声を所定の指向範囲で集音し音声データを取得する音声入力手段と、
前記音声入力手段の前記指向範囲を制御する制御手段と、
前記画像データ及び前記音声データの記録開始を指示する指示手段
とを有し、
前記制御手段は、前記記録開始の指示に応じて、前記撮像手段のズーム率に対応する指向範囲よりも広い指向範囲に前記音声入力手段の指向範囲を制御し、その後、前記撮像手段のズーム率に対応する指向範囲に前記音声入力手段の指向範囲を制御することを特徴とする撮像装置。
【請求項５】
被写体を撮像し、画角を変更できる撮像手段と、
音声を集音し、指向範囲を変更できる音声入力手段と、
前記撮像手段による画像撮像中において、前記撮像手段の画角に応じて前記音声入力手段の前記指向範囲を制御する制御手段
とを具備する撮像装置であって、
前記制御手段は前記撮像手段により得られた画像の記録を開始してから所定時間は、前記撮像手段の画角に応じた前記音声入力手段の指向範囲よりも広い指向範囲に制御する
ことを特徴とする撮像装置。
【請求項６】
前記制御手段は、前記記録を開始してから所定時間が経過すると、前記撮像手段の画角に応じた前記音声入力手段の指向範囲になるように制御することを特徴とする請求項５に記載の撮像装置。
【請求項７】
前記制御手段は、前記音声入力手段の前記指向範囲を前記画角に応じた指向範囲より広い指向範囲から前記画角に応じた指向範囲に変更する際に、前記画角に応じた指向範囲に向けて少しずつ狭くさせることを特徴とする請求項６に記載の撮像装置。
【請求項８】
被写体を撮像し、画角を変更できる撮像手段と、
音声を集音し、指向範囲を変更できる音声入力手段
とを具備する撮像装置の制御方法であって、
記録開始の操作に応じて、前記音声入力手段の前記指向範囲を、前記画角に応じた指向範囲より広い指向範囲に制御する第１ステップと、
前記第１ステップの後に、前記音声入力手段の前記指向範囲を前記画角に応じた指向範囲に制御する第２制御ステップ
とを具備することを特徴とする撮像装置の制御方法。
【請求項９】
被写体の光学像を指定されたズーム率で撮影し画像データを取得する撮像手段と、
周囲の音声を所定の指向範囲で集音し音声データを取得する音声入力手段と、
前記画像データ及び前記音声データの記録開始を指示する指示手段
とを有する撮像装置の制御方法であって、
前記記録開始の指示に応じて、前記撮像手段のズーム率に対応する指向範囲よりも広い指向範囲に前記音声入力手段の指向範囲を制御する第１の制御ステップと、
前記第１の制御ステップの後、前記撮像手段のズーム率に対応する指向範囲に前記音声入力手段の指向範囲を制御する第２の制御ステップ
とを具備することを特徴とする撮像装置の制御方法。
【請求項１０】
被写体を撮像し、画角を変更できる撮像手段と、
音声を集音し、指向範囲を変更できる音声入力手段
とを具備する撮像装置の制御方法であって、
前記撮像手段による画像撮像中において、前記撮像手段の画角に応じて前記音声入力手段の前記指向範囲を制御し、
前記撮像手段により得られた画像の記録を開始してから所定時間は、前記撮像手段の画角に応じた前記音声入力手段の指向範囲よりも広い指向範囲に制御する
ことを特徴とする撮像装置の制御方法。
【発明の詳細な説明】
【技術分野】
【０００１】
本発明は、撮像と同時に音声を取り込む撮像装置及びその制御方法に関する。
【背景技術】
【０００２】
【先行技術文献】
【特許文献】
【０００３】
【特許文献１】特開２００１−３３３４８９号公報
【特許文献２】特許第０３６５８３６１号公報
【０００４】
ビデオカメラ等の動画像を撮像する撮像装置は、一般に周囲の音声を記録する手段を有する。多くのビデオカメラは、被写体を広角で撮影したり、クローズアップして撮影したりする画像ズーム機能を備えている。画像ズームには撮影レンズの画角を制御する光学ズームと、撮像された画像を電子的に変倍する電子ズームとがある。
【０００５】
画角が異なるのに、音声の取り込み範囲が同じであると、例えば、注目被写体にクローズアップして撮影している場合に、注目被写体の発する音声以外の周囲雑音を取り込んでしまうことがある。このような問題を解決する技術として、特許文献１には、画像ズーム倍率に連動して、音声入力手段としてのマイクの指向性を制御する技術が記載されている。
【０００６】
また、ビデオカメラには様々な撮影状況に対応する為に、露出制御用の各種データがプリセットされた複数の撮影モードが用意されている。例えば、撮影モードには、例えば、スポーツ撮影モード、風景撮影モード及びポートレートモード等がある。具体的には、各撮影モードに応じた絞り値、シヤツタスピード及びゲイン等の露出制御用パラメータの制御特性情報を参照テーブルに予め格納しておき、ユーザにより選択された撮影モードに応じた露出制御用パラメータで撮影を制御する。
【０００７】
特許文献２には、選択された撮影モードに応じて、マイクの指向範囲を切り換えることが記載されている。すなわち、ポートレートモードではマイクロホンの指向範囲を狭くして被写体以外の周囲のノイズ音を低減させる。また、風景モード又はスポーツモードでは、指向範囲を広げて周囲の音も記録可能とする。
【発明の概要】
【発明が解決しようとする課題】
【０００８】
特許文献１に記載の技術では、例えば、撮影開始時に被写体にズームしている場合、マイクの指向性も狭く設定され、被写体周辺の音声しか取り込まれない。つまり、周囲に音源がある場合も無い場合も、記録された映像音声はほとんど同じ内容になる。従って、どちらの再生結果を視聴しても、視聴者は、周囲の状況を認識できない。
【０００９】
本発明は、画角に応じた音声取り込み範囲の制御を原則としつつ、周囲の状況を音声により容易に認識しうるようにした撮像装置及びその制御方法を提示することを目的とする。
【課題を解決するための手段】
【００１０】
本発明に係る撮像装置は、被写体を撮像し、画角を変更できる撮像手段と、音声を集音し、指向範囲を変更できる音声入力手段と、前記撮像手段の画角及び前記音声入力手段の前記指向範囲を制御する制御手段とを具備する撮像装置であって、前記制御手段は、記録開始の操作に応じて、前記音声入力手段の前記指向範囲を、前記画角に応じた指向範囲より広い指向範囲に制御し、その後、前記画角に応じた指向範囲に制御することを特徴とする。
本発明に係る撮像装置は、被写体の光学像を指定されたズーム率で撮影し画像データを取得する撮像手段と、周囲の音声を所定の指向範囲で集音し音声データを取得する音声入力手段と、前記音声入力手段の前記指向範囲を制御する制御手段と、前記画像データ及び前記音声データの記録開始を指示する指示手段とを有し、前記制御手段は、前記記録開始の指示に応じて、前記撮像手段のズーム率に対応する指向範囲よりも広い指向範囲に前記音声入力手段の指向範囲を制御し、その後、前記撮像手段のズーム率に対応する指向範囲に前記音声入力手段の指向範囲を制御することを特徴とする。
本発明に係る撮像装置は、被写体を撮像し、画角を変更できる撮像手段と、音声を集音し、指向範囲を変更できる音声入力手段と、前記撮像手段による画像撮像中において、前記撮像手段の画角に応じて前記音声入力手段の前記指向範囲を制御する制御手段とを具備する撮像装置であって、前記制御手段は撮像手段により得られた画像の記録を開始してから所定時間は、前記撮像手段の画角に応じた前記音声入力手段の指向範囲よりも広い指向範囲に制御することを特徴とする。
本発明に係る撮像装置の制御方法は、被写体を撮像し、画角を変更できる撮像手段と、音声を集音し、指向範囲を変更できる音声入力手段とを具備する撮像装置の制御方法であって、記録開始の操作に応じて、前記音声入力手段の前記指向範囲を、前記画角に応じた指向範囲より広い指向範囲に制御する第１ステップと、前記第１ステップの後に、前記音声入力手段の前記指向範囲を前記画角に応じた指向範囲に制御する第２制御ステップとを具備することを特徴とする。
本発明に係る撮像装置の制御方法は、被写体の光学像を指定されたズーム率で撮影し画像データを取得する撮像手段と、周囲の音声を所定の指向範囲で集音し音声データを取得する音声入力手段と、前記画像データ及び前記音声データの記録開始を指示する指示手段とを有する撮像装置の制御方法であって、前記記録開始の指示に応じて、前記撮像手段のズーム率に対応する指向範囲よりも広い指向範囲に前記音声入力手段の指向範囲を制御する第１の制御ステップと、前記第１の制御ステップの後、前記撮像手段のズーム率に対応する指向範囲に前記音声入力手段の指向範囲を制御する第２の制御ステップとを具備することを特徴とする。
本発明に係る撮像装置の制御方法は、被写体を撮像し、画角を変更できる撮像手段と、音声を集音し、指向範囲を変更できる音声入力手段とを具備する撮像装置の制御方法であって、前記撮像手段による画像撮像中において、前記撮像手段の画角に応じて前記音声入力手段の前記指向範囲を制御し、前記撮像手段により得られた画像の記録を開始してから所定時間は、前記撮像手段の画角に応じた前記音声入力手段の指向範囲よりも広い指向範囲に制御することを特徴とする。
【発明の効果】
【００１４】
本発明によれば、撮影されたカットを視聴した場合に、被写体の周囲の状況を音声で推測する事が可能になる。これにより、ズームマイクの効果も確認でき、安定した視聴感を保つ事が可能となる。
【図面の簡単な説明】
【００１５】
【図１】本発明に係る撮像装置の一実施例の概略構成ブロック図である。
【図２】ズームマイクの概略構成ブロック図である。
【図３】ズームレンズ操作に応じたマイク指向範囲制御の動作フローチャートである。
【図４】図３に示す制御によるマイク指向範囲の変化例である。
【図５】撮影モードに応じたマイク指向範囲制御の動作フローチャートの一部である。
【図６】撮影モードに応じたマイク指向範囲制御の動作フローチャートの残りである。
【図７】図５及び図６に示す制御によるマイク指向範囲の変化例である。
【発明を実施するための形態】
【００１６】
以下、図面を参照して、本発明の実施例を詳細に説明する。
【実施例１】
【００１７】
図１は、本発明に係る撮像装置の一実施例であるビデオカメラの概略構成ブロック図である。
【００１８】
撮影レンズ１０が、被写体の光学像をＣＣＤ式撮像素子１２に結像する。撮影レンズ１０は、ズーム、フォーカス及び絞りを調節可能である。撮像素子１２は、撮影レンズ１０による光学画像を電気画像信号に変換し、カメラ信号処理部１４に供給する。カメラ信号処理部１４は、撮像素子１２からの画像信号に、色補間処理、γ補正、ホワイトバランス調整及びマトリクス処理等を施し、カメラ画像信号として出力する。露出制御用参照テーブル１６はいわゆるルックアップテーブルであり、複数の撮影モードのそれぞれに対応する露出制御用データが格納されている。撮影モードには、例えば、スポーツ撮影モード、風景撮影モード及びポートレートモードがある。カメラ信号処理部１４はまた、システム制御装置４０からの制御信号で指定される撮影モードに応じた露出制御用データを露出制御用参照テーブル１６から読み出し、露出制御に適用する。
【００１９】
画像圧縮部１８は、カメラ信号処理部１４からのカメラ画像信号をＭＰＥＧ２等の圧縮方法で圧縮符号化し、圧縮画像データを記録再生部２２に供給する。カメラ画像信号はまた、表示部２８及びセレクタ３０にも供給される。
【００２０】
ズームマイク２０は、外部の音声データを取得する音声入力手段であり、集音する音声の指向範囲を変更可能である。ズームマイク２０で集音された音声信号は、記録再生部２２とセレクタ３４に供給される。
【００２１】
記録再生部２２は、記録時には、画像圧縮部１８からの圧縮画像データと、ズームマイク２０からの音声信号を記録媒体２４に記録する。記録媒体２４は、ハードディスク、光ディスク、光磁気ディスク、磁気テープ、又は不揮発性のメモリカード等からなる。
【００２２】
記録再生部２２は、再生時には、圧縮画像データと音声信号を記録媒体２４から読み出し、圧縮画像データを画像伸長部２６に供給し、音声信号をセレクタ３４に供給する。画像伸長部２６は、圧縮画像データを元のベースバンドの画像データに伸長する。伸長により復元された画像データは、表示部２８とセレクタ３０に供給される。
【００２３】
表示部２８は、撮影画像を記録する所謂カメラモードでは、カメラ画像を表示し、記録媒体２４に記録された画像を再生する所謂ビデオモードでは、再生画像を表示する。セレクタ３０は、カメラモード時にはカメラ画像信号を選択し、ビデオモード時には再生画像信号を選択し、選択した画像信号を画像信号出力部３２に出力する。同様に、セレクタ３４は、カメラモード時には撮影時の音声信号を選択し、ビデオモード時には再生音声信号を選択し、選択した音声信号を音声信号出力部３６に出力する。
【００２４】
撮影者は、操作部３８により、撮像装置に各種の指示設定を入力できる。操作部３８は、記録開始及び終了を指示するトリガースイッチ３８Ａ、及び、ズーム操作を行うズームレバー３８Ｂを具備する。他に、カメラモードとビデオモードを切り換えるカメラ／ビデオ切替えスイッチ３８Ｃと、撮影モードを選択する撮影モード選択スイッチ３８Ｄ等がある。
【００２５】
システム制御装置４０は、上述の各ブロックを統括的に制御する。システム制御装置４０は内部に、各種時間を計測する複数のタイマを有している。
【００２６】
図２は、ズームマイク２０の構成例を示す。指向性を制御可能なマイクとして、ＭＳ（Ｍｉｄ−Ｓｉｄｅ）方式のマイクを使用した構成を説明するが、本発明はこの方式のマイクに限定されない。ＭＩＤマイク（正面マイク）５０は、感度曲線５０ａに示すように、正面方向（Ｍｉｄ側）に指向性を持ち、ＳＩＤＥマイク（側面マイク）５２は、感度曲線５２ａに示すように、左右側（Ｓｉｄｅ側）に指向性を持つ。ゲイン可変部５４は、システム制御装置４０からの指向範囲制御信号により指定されるゲインにＭＩＤマイク５０の出力信号のゲインを変更する。位相分割部５６は、ＳＩＤＥマイク５２の出力を位相分割部５６で位相分割し、逆相出力を加算器５８に、正相出力を加算器６０に供給する。加算器５８は、ゲイン可変部５４の出力に位相分割部５６の逆相出力を加算する。加算器５８の加算結果が右出力となる。加算器６０は、ゲイン可変部５４の出力に位相分割部５６の正相出力を加算する。加算器６０の加算結果が左出力となる。この演算により、ステレオ信号を得ることができる。
【００２７】
正面からの音声に対する感度Ｓｍと、側面からの音声に対する感度Ｓｓの比率Ｓｓ／Ｓｍによって指向範囲が決定される。従って、ゲイン可変部５４で、正面からの音声のゲインを変更することで、指向範囲を制御出来る。システム制御装置４０は、撮影レンズ１０のズーム率及び記録モードに応じた指向範囲制御信号をゲイン可変部５４に印加して、正面からの音声に対するゲインを制御する。この制御により、ズームマイクの機能を得る。
【００２８】
本実施例の特徴である、所定の操作に応じたマイク指向範囲の制御動作を説明する。図３は、システム制御装置４０の制御動作のフローチャートを示す。
【００２９】
電源オン等により処理が開始されると、システム制御装置４０は、操作部３８のズームレバー３８Ｂの操作、又はこの操作に伴うズームレンズの動作状態から現在のズーム位置情報を読み込む（Ｓ１）。また、システム制御装置４０は、カメラ／ビデオ切替えスイッチ３８Ｃ、トリガースイッチ３８Ａ及び撮影モード選択スイッチ３８Ｄなどの操作情報を読み込む（Ｓ２）。
【００３０】
システム制御装置４０は、読み込んだ操作情報によりビデオモードからカメラモードへの切り替わりを判定する（Ｓ３）。
【００３１】
カメラモードに切り替わった場合（Ｓ３でＹ）、システム制御装置４０は、録画が開始されたかどうかを判定する（Ｓ４）。録画開始と判定されると（Ｓ４でＹ）、システム制御装置４０は、録画時間計測タイマＴＲをクリアする（Ｓ５）。Ｓ４及びＳ５の処理により、録画開始時点に録画時間計測タイマＴＲがゼロにクリアされる。録画時間計測タイマＴＲは、以後、時間の経過とともにカウントアップして、経過時間を計測する。
【００３２】
次に、録画時間計測タイマＴＲがタイマ閾値ＴＲ＿ＴＨを越えたかどうかを判定する（Ｓ６）。タイマＴＲが閾値ＴＲ＿ＴＨを越える場合（Ｓ６でＹ）、システム制御装置４０は、その時点でのズーム位置に対応する指向範囲を示す制御値Ｍ＿ＺＯＯＭを指向範囲制御値ＭＤに代入する（Ｓ７）。
【００３３】
タイマＴＲが閾値ＴＲ＿ＴＨを越えない場合（Ｓ６でＮ）、システム制御装置４０は、撮影レンズ１０のワイド端に対応する指向範囲を示す制御値Ｍ＿ＷＩＤＥを指向範囲制御値ＭＤに代入する（Ｓ８）。本実施例では、撮影レンズ１０のワイド端に対応する指向範囲を示す制御値Ｍ＿ＷＩＤＥを指向範囲制御値ＭＤに代入することとしたが、記録開始当初ズーム画角に対応する範囲よりも広い範囲に設定すればよい。そうすることで、画角に比べて、より広い範囲の音声を取り込むことができるからである。
【００３４】
ステップＳ７又はＳ８で設定された指向範囲制御値ＭＤをそのまま使ってズームマイク２０の指向性を制御すると、ズームマイク２０の指向性が急激に変化することがあり、不自然な音声記録になってしまう。これを避けるため、本実施例では、指向範囲制御値ＭＤを時間経過に対して平滑化して、実際にズームマイク２０に適用すべき指向範囲制御値ＭＤ＿Ｓに代入する（Ｓ９）。但し、本実施例では、指向範囲が狭くなる方向に対してのみ、このスムージング処理を実行し、指向範囲が広くなる方向に対してはスムージング処理を実行しない。システム制御装置４０は、スムージングされた指向範囲制御値ＭＤ＿Ｓでズームマイク２０の指向範囲を制御する（Ｓ１０）。
【００３５】
記録終了の指示があるまで（Ｓ１１）、Ｓ６以降を繰り返す。記録終了の指示があると（Ｓ１１）、システム制御装置４０は、ズームマイク２０の指向範囲制御を終了する。
【００３６】
本実施例では、スムージングした指向範囲制御値ＭＤ＿Ｓでズームマイク２０を制御するので、指向範囲の急激な変化を緩和できる。
【００３７】
図４は、本実施例によるズームマイク２０の指向範囲制御の一シーケンス例を示す。図４（ａ）はズームマイク２０の指向範囲の変化を示し、同（ｂ）はズームレバー３８Ｂの操作によるズーム位置の変化を示す。図４（ａ）で、横軸は時間を示し、縦軸はマイク指向範囲を示す。図４（ｂ）で、横軸は時間を示し、縦軸はズームレバー３８Ｂのズーム位置を示す。ズーム位置はズーム値に対応する。
【００３８】
図４に示す例では、記録開始前では、ズーム値とマイクの指向範囲は、１対１で対応している。時刻ＰＷから時刻ＰＴまでの間にズームをワイド端からテレ端まで移動した場合、このズーム位置の変化に応じてズームマイク２０の指向範囲も一番広い状態Ｍ＿ＷＩＤＥから最小状態に変化する。
【００３９】
時刻ＰＳに記録が開始されたとする。図３の処理により、それ以前のズーム状態に関わらずズームマイク２０の指向範囲が最大の広さとなる。先述したように、最大の広さとしなくとも、現在のズーム状態よりも広い画角を撮影しているときの指向範囲より広くなればよい。その後、記録が継続され、時刻Ｐａに示す時点で記録時間ＴＲが閾値ＴＲ＿ＴＨを越えたとする。すると、ステップＳ９の処理により、ズームマイク２０の指向範囲は、ズーム位置に応じた指向範囲に向けて少しずつ変化し、時刻Ｐｂの時点で、ズーム位置に対応した指向範囲に戻る。
【００４０】
このように、本実施例では、記録開始後の一定時間の間、マイクの指向範囲を、ズーム値に応じた指向範囲よりも広い範囲に制御することができる。従って、このように記録された映像音声（カット７０）を視聴する場合、再生画像はテレ端の狭い範囲であるものの、再生の開始部分では再生音声により周囲の状況を推測出来る。記録時間ＴＲが閾値ＴＲ＿ＴＨを越えた後では、マイクの指向範囲をズーム状態に応じ範囲に向けて少しずつ滑らかに変化させるので、ズームマイクの集音効果をより強く印象づけることができる。
【００４１】
テレ側のみで記録された複数のカットを視聴しても、各カットの最初の部分には広い指向範囲で集音された広がり感のある音声が記録されている。これにより、従来に比べて安定した視聴感を得ることができる。
【実施例２】
【００４２】
図５及び図６は全体として、撮影モードに応じた指向範囲にズームマイク２０の指向範囲を制御する場合の、本実施例の制御フローを示す。
【００４３】
電源オン等により処理が開始されると、システム制御装置４０は、カメラ／ビデオ切替えスイッチ３８Ｃ、トリガースイッチ３８Ａ及び撮影モード選択スイッチ３８Ｄなどの操作情報を読み込む（Ｓ２１）。
【００４４】
システム制御装置４０は、読み込んだ操作情報によりビデオモードからカメラモードへの切り替わりを判定する（Ｓ２２）。カメラモードに切り替わった場合（Ｓ２）、システム制御装置４０は、カメラモード計測タイマＴＣをクリアする（Ｓ２３）。Ｓ２２及びＳ２３の処理により、ビデオモードからカメラモードに切り替わった時点に、カメラモード計測タイマＴＣがゼロにクリアされる。カメラモード計測タイマＴＣは、以後、時間の経過とともにカウントアップして、経過時間を計測する。
【００４５】
システム制御装置４０は、録画が開始されたかどうかを判定する（Ｓ２４）。録画開始と判定されると（Ｓ２４）、システム制御装置４０は、録画時間計測タイマＴＲをクリアする（Ｓ２５）。Ｓ２４及びＳ２５の処理により、録画開始時点に録画時間計測タイマＴＲがゼロにクリアされる。録画時間計測タイマＴＲは、以後、時間の経過とともにカウントアップして、経過時間を計測する。
【００４６】
システム制御装置４０は、スポーツモード又はポートレートモードなどの撮影モードの変更の有無を判定する（Ｓ２６）。撮影モードが切り替わったと判定された場合（Ｓ２６）、システム制御装置４０は、撮影モード計測タイマＴＭをクリアする（Ｓ２７）。Ｓ２６及びＳ２７の処理により、撮影モードの変更時に撮影モード計測タイマＴＭがゼロにクリアされる。撮影モード計測タイマＴＭは、以後、時間の経過とともにカウントアップして、経過時間を計測する。
【００４７】
カメラモードに切り替わってからの経過時間、録画開始からの経過時間、及び撮影モード変更からの経過時間を判定する（Ｓ２８，Ｓ２９，Ｓ３０）。具体的には、各タイマＴＣ，ＴＲ，ＴＭが、それぞれに対応する閾値ＴＣ＿ＴＨ，ＴＲ＿ＴＨ，ＴＭ＿ＴＨを越えたかどうかを調べる。タイマＴＣ，ＴＲ，ＴＭがいずれも閾値ＴＣ＿ＴＨ，ＴＲ＿ＴＨ，ＴＭ＿ＴＨを越える場合、システム制御装置４０は、その時点での撮影モードに対応する指向範囲を示す制御値を指向範囲制御値ＭＤに代入する（Ｓ３１）。例えば、撮影モードがスポーツモードの場合、スポーツモードに対応する指向範囲制御値Ｍ＿Ｓが指向範囲制御値ＭＤに代入される。撮影モードがポートレートモードの場合、ポートレートモードに対応する指向範囲制御値Ｍ＿Ｐが、指向範囲制御値ＭＤに代入される。ここで、撮影モードが更に多数ある場合、それぞれの撮影モードに対応した指向範囲制御値を代入する。
【００４８】
何れかのタイマＴＣ，ＴＲ，ＴＭが閾値を超えない場合（Ｓ２８，Ｓ２９，Ｓ３０）、システム制御装置４０は、撮影レンズ１０のワイド端に対応する指向範囲を示す制御値Ｍ＿ＷＩＤＥを指向範囲制御値ＭＤに代入する（Ｓ３２）。原理的には、記録開始当初の周囲音取り込み範囲として、ズーム画角に対応する範囲よりも広い範囲に設定すればよい。画角に比べて、より広い範囲の音声を取り込むことができるからである。
【００４９】
ステップＳ３１又はＳ３２で設定された指向範囲制御値ＭＤをそのまま使ってズームマイク２０の指向性を制御すると、ズームマイク２０の指向性が急激に変化することがあり、不自然な音声記録になってしまう。これを避けるため、本実施例では、指向範囲制御値ＭＤを時間経過に対して平滑化し、スムージングされた指向範囲制御値ＭＤ＿Ｓを算出する（Ｓ３３）。但し、本実施例では、指向範囲が狭くなる方向に対してのみ、このスムージング処理を実行し、指向範囲が広くなる方向に対してはスムージング処理を実行しない。システム制御装置４０は、スムージングされた指向範囲制御値ＭＤ＿Ｓでズームマイク２０の指向範囲を制御する（Ｓ３４）。
【００５０】
記録終了の指示があるまで（Ｓ３５）、Ｓ２８以降を繰り返す。記録終了の指示があると（Ｓ３５）、システム制御装置４０は、ズームマイク２０の指向範囲制御を終了する。
【００５１】
図７は、図５及び図６に示す指向範囲制御の一シーケンス例を示す。横軸は時間を示し、縦軸はマイク指向範囲を示す。時刻ＰＳで記録が開始されると、Ｓ２９，Ｓ３２により、指向範囲制御値が最大の広さＭ＿ＷＩＤＥに対応する制御値となる。その後、記録が継続され、時刻Ｐａ１で記録時間ＴＲが閾値ＴＲ＿ＴＨを越えると、ステップＳ３１でスポーツモードに応じた指向範囲を示す制御値Ｍ＿Ｓに変更される。但し、スムージング処理（Ｓ３３）により、時刻Ｐｂ１になって、制御値Ｍ＿Ｓに対応する指向範囲になる。
【００５２】
その後、時刻Ｐｍに撮影モードがポートレートモードに切り替わると、Ｓ３０，Ｓ３２により、指向範囲制御値が最大の広さＭ＿ＷＩＤＥに対応する制御値となる。その後、時刻Ｐａ２に撮影モードの継続時間ＴＭが閾値ＴＭ＿ＴＨを越える。すると、ステップＳ３１でポートレートモードに応じた指向範囲を示す制御値Ｍ＿Ｐに変更される。但し、スムージング処理（Ｓ３３）により、時刻Ｐｂ２になって、制御値Ｍ＿Ｐに対応する指向範囲になる。
【００５３】
このように、本実施例では、ズームマイク２０の指向範囲を一旦広い第１の制御範囲に変化させ、撮影モードに応じた指向範囲に収束させる。例えば、図７に示すカット７２では、前半をスポーツモードで撮影され、後半をポートレートモードで撮影されている。各撮影モードの前半部分ではマイクの指向範囲が広くとられ、周囲の音声情報も記録されているので、周囲の状況を推測することが可能となる。時刻Ｐａ１から時刻Ｐｂ１までの期間、及び時刻Ｐａ２から時刻Ｐｂ２までの期間では、指向範囲が広い範囲から撮影モードに応じた範囲へと滑らかに変化しているので、ズームマイク２０の集音効果をより強く印象づけることができる。
【００５４】
上記各実施例では、マイクの指向範囲を一旦広い第１の指向範囲にした後、ズームレンズの状態や撮影モードに応じた第２の指向範囲に変化させている。しかし、常にズームレンズの状態や撮影モードのうちのどちらかに片方のみに合わせる必要はなく、これらを組み合わせて、適時に指向範囲をズームレンズの状態に合わせたり、撮影モードに合わせたりしても良い。
【００５５】
また、上記各実施例で用いた各タイマの閾値はシステムに応じて最適な長さに設定すればよく、特に長さを固定する必要ない。また、理解を容易にするために音声情報を左右２ｃｈのステレオで記録する場合を説明したが、例えば５．１チャンネルサラウンド記録を行うシステムにも応用できる。
【００５６】
また、マイクの指向範囲を制御する構成として、Ｍｉｄ−Ｓｉｄｅ方式以外の構成のズームマイクも利用可能である。例えば、Ｌ−Ｒ独立方式であって、機械的に指向角や感度を変換する方式のものや、その他の方式で指向角や感度が切り換えられるものも、本発明に利用出来る。
【００５７】
光学ズームを採用するカメラを例に説明したが、本発明は、電子ズームを使う撮像装置にも適用出来る。
【符号の説明】
【００５８】
１０：撮影レンズ
２０：ズームマイク
４０：システム制御装置
【図１】
0005455584.tif 000002
【図２】
0005455584.tif 000003
【図３】
0005455584.tif 000004
【図４】
0005455584.tif 000005
【図５】
0005455584.tif 000006
【図６】
0005455584.tif 000007
【図７】
0005455584.tif 000008